(57)【特許請求の範囲】
【請求項１】
前身頃の左右両側に存在する、着用者の大腿部を被覆する部分が、パッドホルダーの横方向に伸縮性を有しており、股下部の肌対向面上に吸収性パッドを配して着用されるパンツ型のパッドホルダーであって、
前記前身頃の前記大腿部を被覆する部分に、第一大腿伸長応力部と、パッドホルダーの横方向に延びる、前記第一大腿伸長応力部よりも伸長応力が高い第二大腿伸長応力部を有しており、
前記パッドホルダーは縦方向に伸長性を有しており、前身頃の左右両側に、それぞれ、前身頃下半部の幅方向中央側から前身頃上半部の側部に亘って伸長抑制部が形成されており、前記第二大腿伸長応力部は、パッドホルダーの横方向における、左右の前記伸長抑制部それぞれの外方に形成されている、パッドホルダー。
【請求項２】
前記第二大腿伸長応力部が、パッドホルダーの縦方向に間隔を設けて複数本形成されている、請求項１記載のパッドホルダー。
【請求項３】
２本の前記第二大腿伸長応力部が、着用時に着用者の大転子の上下に位置することが可能に配置されている、請求項２記載のパッドホルダー。
【請求項４】
前記伸長抑制部は、その一部が着用時に着用者の上前腸骨棘の上方に位置するように形成されている、請求項１〜３の何れか１項に記載のパッドホルダー。
【請求項５】
後身頃の左右両側に、それぞれ、後身頃下半部の幅方向中央側から後身頃上半部の側部に亘って背側伸長抑制部が形成されており、前記第二大腿伸長応力部は、後身頃側に延出して、前身頃の前記伸長抑制部から前記背側伸長抑制部に亘るように形成されている、請求項１〜４の何れか１項に記載のパッドホルダー。
【発明の詳細な説明】
【技術分野】
【０００１】
本発明は、吸収性パッドと併用されるパッドホルダーに関する。
【背景技術】
【０００２】
従来、パッドホルダーの股下部の肌対向面上に吸収性パッドを取り付けた状態で該パッドホルダーを着用し、吸収性パッドが液を吸収した後に、吸収性パッドのみを新品と交換する一方、パッドホルダーは再利用することが行われている。斯かるパッドホルダーは、吸収性パッドを着用者の股間部にフィットした状態に保持するものであり、パッドホルダーを吸収性パッドと組み合わせて使用することにより、ゴミの量やコストの削減を図ることができる。
【０００３】
従来のパッドホルダーとして、伸縮性シートから形成され、ウエスト開口部及び一対のレッグ開口部を有し、股下部の肌対向面上に吸収性パッドを配して着用されるパッドホルダーが知られている。特にボクサーブリーフ型のパッドホルダー、即ち、着用時においてレッグ開口部の開口周縁部が股下部より下方に位置するタイプのパッドホルダーが広く普及しているが、このようなボクサーブリーフ型のパッドホルダーにおいては、該パッドホルダーの股下部に取り付けられた吸収性パッドの外部へのはみ出しを防止する目的で、一対のレッグ開口部それぞれの開口周縁部にレッグ部弾性部材が配されて太腿ギャザーが形成されており、該太腿ギャザーが着用者の太腿部を締め付けるようになされている（例えば特許文献１参照）。
【０００４】
また、先に出願人は、レッグ開口部の開口周縁部に沿って形成されたギャザーと着用者のそけい部に沿って形成されたギャザーとを形成したパッドホルダーを提案した（特許文献２参照）。
【先行技術文献】
【特許文献】
【０００５】
【特許文献１】特開２００２−６６０号公報
【特許文献２】特開２００８−２８４０３８号公報
【発明の開示】
【発明が解決しようとする課題】
【０００６】
特許文献１に開示されるような従来のボクサーブリーフ型のパッドホルダーは、併用される吸収性パッドを着用者の股間部に安定的にフィットさせることが難しく、着用者の肌と吸収性パッドとの隙間を介して漏れが生じたり、着用者と吸収性パッドとの間に生じた隙間で吸収性パッドが折れ曲がり、その結果、漏れが生じる場合があった。
また、特許文献２開示のパッドホルダーによれば、吸収性パッドを、着用者の股間部に良好にフィットさせることができるが、着用者のそけい部をギャザーが押圧するため、装着感の点で改善の余地があった。また、ギャザーは、弾性部材をシート材に伸長状態で固定することにより、該シート材に伸縮性を付与するものであるため、自然状態においては、弾性部材が配された部分は、該弾性部材が配されていない部分に比して一般に伸長性が高くなっている。
【課題を解決するための手段】
【０００７】
本発明は、前身頃の左右両側に存在する、着用者の大腿部を被覆する部分が、パッドホルダーの横方向に伸縮性を有しており、股下部の肌対向面上に吸収性パッドを配して着用されるパンツ型のパッドホルダーであって、前記前身頃の前記大腿部を被覆する部分に、第一大腿伸長応力部と、パッドホルダーの横方向に延び、前記第一大腿伸長部より伸長応力が高い第二大腿伸長応力部を有している、パッドホルダーを提供するものである。
【発明の効果】
【０００８】
本発明のパッドホルダーは、大腿部を被覆する部分が、柔軟であると共に大腿部の動きに対する追従性に優れ、装着感に優れている。
【図面の簡単な説明】
【０００９】
【図１】本発明のパッドホルダーの一実施形態を、前身頃と後身頃の肌対向面同士を面接させて平面状とした状態（自然状態）を、前身頃側から見た正面図である。
【図２】図１に示すパッドホルダーの使用状態（着用状態）を前身頃側から見た図である。
【図３】図１に示すパッドホルダーを、前身頃と後身頃の肌対向面同士を面接させて平面状とした状態（自然状態）を、後身頃側から見た背面図である。
【図４】図１に示すパッドホルダーの使用状態（着用状態）を側方から見た図である。
【図５】上前腸骨棘、腸骨稜及び大転子の位置を示す人体図である。
【発明を実施するための形態】
【００１０】
以下、本発明のパッドホルダーを、その好ましい実施形態に基づき図面を参照して説明する。
本実施形態のパッドホルダー１は、図１（自然状態）に示すように、パンツ型の形態を有し、ウエスト開口部５及び一対のレッグ開口部６，６を有している。
また、パッドホルダー１は、パッドホルダー１の着用時に着用者の腹側に配される前身頃２と、パッドホルダー１の着用時に着用者の背側に配される後身頃３とを有している。
【００１１】
パッドホルダー１は、股下部４の肌対向面（パッドホルダー着用時に着用者の肌側に向けられる面）側に、図２及び４に示すように、吸収性パッド７が配された状態で着用される。股下部４は、着用時に着用者の股間部に配される部分である。吸収性パッド７は、一般に、液透過性の表面シート、液不透過性又は撥水性の裏面シート及びこれら両シート間に挟持固定された吸収性コアを備えている。吸収性パッド７は、前記裏面シート側の面に、パッドホルダー１に固定するための固定手段（粘着部等）を有するものでも有しないものであっても良い。
パッドホルダー１は、図１に示すように、パッドホルダーの縦方向に延びる縦中心線ＣＬに対して左右対称に形成されている。
【００１２】
ウエスト開口部５は、着用者のウエスト部分が挿通される部分であり、その開口周縁部には、ウエスト開口弾性部５１が環状に形成されている。また、一対のレッグ開口部６，６は、着用者の脚が挿通される部分であり、それぞれの開口周縁部には、レッグ開口弾性部６１が環状に配されている。本実施形態におけるウエスト開口弾性部５１及びレッグ開口弾性部６１は、伸縮性シートを折り返し、その端部をホルダー内面（又は外面）に固定することにより形成されている。ウエスト開口弾性部５１及びレッグ開口弾性部６１は、それぞれ、別の弾性部材、例えば、ポリウレタン繊維を含む伸縮性織布や不織布、合成ゴムシート、天然ゴムシート等を取り付けて形成することもできる。レッグ開口弾性部６１とウエスト開口弾性部５１とで使用する弾性部材が同じでも良く、異なっていても良いし、どちらか一方のみに弾性部材を用いても良い。ウエスト開口弾性部５１の存在によって、ウエスト開口部５の開口周縁部は、パッドホルダー１の着用時に、その直ぐ下に存在する伸縮性シートのみからなる環状部分に比して強く着用者を締め付けることができる。同様に、レッグ開口部６，６それぞれの開口周縁部は、各レッグ開口部６における該開口周縁部より直ぐ上に存する環状部分に比して、強く着用者を締め付けるようにすることも、弱く接するようにすることもできる。
【００１３】
本実施形態のパッドホルダーは伸縮性材料を含んで構成されている。より具体的には、パッドホルダーのほぼ全体が伸縮性シートで構成されている。パッドホルダーの伸縮性は、少なくともホルダーの幅方向（胴回り方向に沿う方向）に発現する。パッドホルダーの縦方向（ウエスト開口部から股下部に向かう方向）においては伸縮性を有する必要はないが、縦方向の伸縮性（特に臀部〜背側腰部）を有すると、歩行や立ち座り等の動きによる臀部近傍の皮膚の伸びにホルダーが追従し易くなり、ズレ落ちの発生を抑制し易くなるので好ましい。また、腹部（特に高齢者の多重腹）や臀部等の凹凸のある複雑形状に沿うことが容易となり、フィット性が良好となる点からも好ましい。
【００１４】
本実施形態のパッドホルダー１は、前身頃２の左右両側に存在する、着用者の大腿部を被覆する部分Ａ，Ａが、パッドホルダーの横方向（Ｘ方向）に伸縮性を有している。そして、左右両側の該部分Ａ，Ａのそれぞれに、第一大腿伸長応力部２０，２０・・と、パッドホルダーの横方向に延びる第二大腿伸長応力部２３〜２５を有している。
着用者の大腿部を被覆する部分Ａ，Ａは、パッドホルダーの縦方向に延びる縦中心線ＣＬの両側に、該縦中心線ＣＬから離間して存在する部分である。本実施形態のパッドホルダー１におけるレッグ開口周縁部に、本発明における第二大腿伸長応力部を設け、レッグ開口弾性部６１としても良い。但しその場合は、レッグ開口周縁部以外に、別途第二大腿伸長応力部を設ける必要がある。
【００１５】
本実施形態のパッドホルダー１の前身頃２には、図１に示すように、左右一対の伸長抑制部２１，２２が、それぞれ、前身頃下半部２Ｄの幅方向中央側から前身頃上半部２Ｕの側部に亘って帯状に形成されている。前身頃下半部２Ｄとは、図１に示すように、前身頃２の股上長Ｌ２を２等分する直線Ｌ２１より下方に位置する部分であり、前身頃上半部２Ｕとは、同直線Ｌ２１より上方に位置する部分である。
【００１６】
本実施形態のパッドホルダー１は、図２に示すように、着用時に前身頃２によって着用者の腸骨稜８，８及び上前腸骨棘８１，８１が覆われるようになされている。なお、腸骨稜（ちょうこつりょう）及び上前腸骨棘（じょうぜんちょうこつきょく）は、解剖学の用語である。腸骨（ちょうこつ）は、寛骨臼（かんこつきゅう）の上部を作る腸骨体（ちょうこつたい）とそれより上方において扇状に拡がる腸骨翼（ちょうこつよく）とを有し、その腸骨翼の上縁（図５に符号８で示す部分）が腸骨稜である。上前腸骨棘は、腸骨稜の前方下部に存在する鈍円な突起（図５に符号８１で示す部分）である。上前腸骨棘８１及び腸骨稜８，８は、体表の近くに存在し、それぞれ、着用者の左右に一対存在する。
図２には、へその位置を符号１０で示してある。
【００１７】
伸長抑制部２１，２２は、図２に示すように、それぞれの一部２１ｃ，２２ｃが、着用時に着用者の上前腸骨棘８１の上方（図２中の上側）に位置するように形成されていることが好ましい。また、伸長抑制部２１，２２は、図２に示すように、それぞれの一部２１ｄ，２２ｄが、着用時に着用者の腸骨稜８の少なくとも一部の上方（図２中の上側）に位置するように形成されていることが好ましい。
【００１８】
伸長抑制部２１，２２は、前身頃上半部２Ｕ側の端部２１ａ，２２ａが、ウエスト開口部５に達していても良いが、図１に示すように、パッドホルダー１を、前身頃２と後身頃３の肌対向面同士を面接させて平面状の自然状態としたときにホルダーの側部に生じる折曲線１ａ，１ａに達していることが好ましい。前記端部２１ａ，２２ａは、それぞれ折曲線１ａ，１ａに達していなくても良いが、その場合、折曲線１ａ，１ａまでの最短距離が３０ｍｍ以下、特に１０ｍｍ以下であることが好ましい。
なお、伸長抑制部２１，２２の前身頃上半部２Ｕ側の端部２１ａ，２２ａが、ウエスト開口部５に達している場合は、第二大腿伸長応力部に相当する、その周辺（第一大腿伸長応力部に相当）よりも伸長応力が高い高応力部が、着用時に着用者の上前腸骨棘８１の上方（図２中の上側）及び／又は腸骨稜８の少なくとも一部の上方（図２中の上側）に位置するように配置されていることが好ましい。
【００１９】
また、伸長抑制部２１，２２は、前身頃下半部２Ｄ側の端部２１ｂ，２２ｂが、図１に示すように、一対のレッグ開口部６，６間の領域４１まで入り込んでいることが好ましく、前身頃２と後身頃３の肌対向面同士を面接させて平面状の自然状態としたときに股下部４に生じる折曲線１ｂに達していることがより好ましい。前記端部２１ｂ，２２ｂは、それぞれ折曲線１ｂに達していなくても良いが、その場合、折曲線１ｂまでの最短距離が３０ｍｍ以下、特に１０ｍｍ以下であることが好ましい。
前身頃下半部２Ｄ及び後身頃下半部３Ｄの下端は、パッドホルダー１を、前身頃２と後身頃３の肌対向面同士を面接させて平面状の自然状態としたときに股下部４に生じる折曲線１ｂの位置である。
【００２０】
一対のレッグ開口部６，６間の領域４１の幅方向距離（自然状態において股下部４に生じる折曲線１ｂ上で両レッグ開口縁部間に相当するパッドホルダーの幅方向に沿う方向（Ｘ方向）の長さ）は、パッドホルダー１および吸収性パッド７の着用者の股間部への密着性向上の観点から、３〜１５ｃｍであることが好ましく、６〜１２ｃｍであることがより好ましい。また、本実施形態において、伸長抑制部２１，２２は、前身頃下半部２Ｄにおいて互いに交差しないが、交差していてもよく、その場合でも領域４１の幅方向距離は上述の範囲であることが好ましい。
【００２１】
本実施形態のパッドホルダー１においては、前身頃２には、図１に示すように、左右一対の伸長抑制部２１，２２が、それぞれ、前身頃下半部２Ｄの幅方向中央側から前身頃上半部２Ｕの側部に亘って帯状に形成されている。前身頃下半部２Ｄとは、図１に示すように、前身頃２の股上長Ｌ２を２等分する直線Ｌ２１より下方に位置する部分であり、前身頃上半部２Ｕとは、同直線Ｌ２１より上方に位置する部分である。
【００２２】
本実施形態のパッドホルダー１においては、前身頃２の左右両側それぞれにおける、伸長抑制部２１又は２２と折曲線１ａとに挟まれた領域（以下、脚部領域ともいう）が、着用者の大腿部を被覆する部分Ａ，Ａであり、該脚部領域Ａ，Ａに、前述した第一大腿伸長応力部２０及び第二大腿伸長応力部２３〜２５を有している。
【００２３】
第二大腿伸長応力部２３〜２５は、図１に示すように、それぞれ、パッドホルダーの横方向（胴回り方向に沿う方向に相当）に延びて形成されている。また、第二大腿伸長応力部２３〜２５は、パッドホルダーの縦方向に間隔を設けて複数本（図示例では３本）形成されている。
柔軟性及び大腿部のホールド性の観点から、第二大腿伸長応力部２３〜２５の、パッドホルダー縦方向の長さは、その上下に位置する第一大腿伸長応力部２０の同方向の長さよりも短いことが好ましい。第二大腿伸長応力部２３〜２５の、パッドホルダーの縦方向長さは、パッドホルダー１の横方向外方から内方に向かってその長さを変えても良い。
【００２４】
伸長抑制部２１，２２（後述する背側伸長抑制部３１，３２も同様）は、パッドホルダーの縦方向における最大伸長率が、前身頃又は後身頃の胴回り部分における伸長抑制部を挟んだ両側の少なくとも一方に位置する部分よりも小さくなされている部分、または、パッドホルダーの縦方向において特定荷重を加えたときの伸長率が、前身頃又は後身頃の胴回り部分における伸長抑制部を挟んだ両側の少なくとも一方に位置する部分よりも小さくなされている部分である。着脱性や装着感の点からは前者であることが好ましい。
最大伸長率とは、それ以上伸ばせない長さ（材破する直前の長さ）まで伸長したときの伸長率であり、最大伸長率は、下記式（１）で求められる。
最大伸長率（％）＝｛（伸長後の長さ−伸長前の長さ）／伸長前の長さ｝×１００％  ・・・（１）
【００２５】
伸長抑制部２１，２２の最大伸長率は、１８０％未満であることが好ましく、２０〜１５０％がより好ましく、４０〜１２０％が更に好ましい。
前身頃２における、伸長抑制部２１，２２以外の部分（高伸長性部分）、例えば伸長抑制部２１（２２）を挟んでその両側に位置する高伸長性の部分それぞれの最大伸長率（Ｙ方向）は、パッドホルダーの着脱容易性や装着感の点から、１２０％以上であることが好ましく、また、伸長抑制部２１（２２）の最大伸長率との差が、３０％以上、特に５０〜１５０％であることが好ましい。
【００２６】
伸長抑制部２１（２２）の最大伸長率は、伸長抑制部２１（２２）を、パッドホルダーの縦方向（Ｙ方向）に伸長させて測定する。
他方、伸長抑制部２１（２２）以外の高伸長性部分の最大伸長率（Ｙ方向）は、該高伸長性部分を、パッドホルダーの縦方向（Ｙ方向）に伸長させて測定する。
【００２７】
〔伸長抑制部２１（２２）の最大伸長率測定方法〕
測定対象のパッドホルダーから、その縦方向（Ｙ方向）に１００ｍｍ、幅方向（Ｘ方向）に５０ｍｍの寸法の長方形形状で、かつ、測定用サンプルの長手方向（Ｙ方向）中央に少なくとも６０ｍｍの範囲に亘って伸長抑制部２１（２２）が含まれるように切り出し、この切り出された長方形形状を測定用サンプルとする。なお、上記サンプル調整方法は６０ｍｍの範囲全長に亘り連続して伸長抑制部２１（２２）が配置していることを前提としているが、伸長抑制部２１（２２）がその一部で分断されて断続的に高伸長性部分を含んでいる場合もこの範疇に含めるものとする。
この測定サンプルを、その長手方向（Ｙ方向相当）が引っ張り方向となるように、引張試験機のチャックに取り付ける。このとき、上下のチャックのいずれにおいても伸長抑制部２１（２２）が挟まれていることを確認する。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
ただし、１００Ｎ荷重後も測定用サンプルが材破しない場合は、１００Ｎ荷重時のチャック間距離を測定する。
測定対象のパッドホルダーから上記のようにサンプルが取り出せない場合は、適宜サンプル長さ、サンプル幅、チャック間距離、チャック幅、を変更しても良い。
【００２８】
伸長抑制部２１（２２）以外の部分（高伸長性部分）の最大伸長率（Ｙ方向）の測定方法は、上記に準じる。但し、測定用サンプルを切り出す際には、測定用サンプル中に伸長抑制部２１（２２）を含まないようにする。ただし、測定用サンプル中に第一及び第二大腿伸長応力部２０、２３〜２５は含んでもよい。
【００２９】
第二大腿伸長応力部２３〜２５は、パッドホルダーの横方向（幅方向ともいう）における伸長応力が、脚部領域（着用者の大腿部を被覆する部分）Ａにおける第一大腿伸長応力部２０よりも高くなされている部分である。
【００３０】
第二大腿伸長応力部２３〜２５及び第一大腿伸長応力部２０の伸長応力は、それぞれを、パッドホルダーの横方向（Ｘ方向）に伸長率１００％まで伸長させたときの荷重である。伸長率（％）は、下記式（２）で求められる。
伸長率（％）＝｛（伸長後の長さ−伸長前の長さ）／伸長前の長さ｝×１００％  ・・・（２）
第二大腿伸長応力部２３〜２５は、それぞれ、伸長率１００％時の荷重が１．５〜１５．０Ｎであることが好ましく、より好ましくは５．０〜１０．０Ｎである。
第一大腿伸長応力部２０は、それぞれ、伸長率１００％時の荷重が１．０〜８．０Ｎであることが好ましく、より好ましくは１．５〜５．０Ｎである。
第二大腿伸長応力部２３〜２５と第一大腿伸長応力部２０との伸長率１００％時の荷重の差は、０．５〜１４．０Ｎ、特に２．０〜８．５Ｎであることが、着用時の動作時に大腿部での追従性と装着性をより高める点で好ましい。
【００３１】
〔第一大腿伸長応力部２０及び第二大腿伸長応力部２３〜２５の伸長応力測定方法〕
測定対象のパッドホルダーから、その幅方向（Ｘ方向）に１００ｍｍ、長手方向（Ｙ方向）に５０ｍｍの寸法の長方形形状に切り出し、この切り出された長方形形状を測定用サンプルとする。
この測定サンプルを、その長手方向（Ｘ方向相当）が引っ張り方向となるように、引張試験機のチャックに取り付ける。チャック間距離は５０ｍｍ（チャック部は測定用サンプルの前後２５ｍｍの部分）とする。測定サンプルを３００ｍｍ／ｍｉｎで引っ張り、測定用サンプルが１００％伸長となった時にサンプルに負荷されている加重値を測定する。
測定対象のパッドホルダーから上記のようにサンプルが取り出せない場合は、適宜サンプル長さ、サンプル幅、チャック間距離、チャック幅、を変更しても良い。
【００３２】
第二大腿伸長応力部２３〜２５の幅は特に制限されないが、例えば図示例のものの幅は０．５〜５ｃｍ程度である。また、伸長抑制部２１，２２は、最もウエスト開口部５寄りの第二大腿伸長応力部２３の位置よりウエスト領域側（上側）に延出している。
【００３３】
本実施形態のパッドホルダー１は、図３に示すように、後身頃３に、左右一対の背側伸長抑制部３１，３２を有している。
背側伸長抑制部３１，３２は、それぞれ、後身頃下半部３Ｄの幅方向中央側から後身頃上半部３Ｕの側部に亘って帯状に形成されている。後身頃下半部３Ｄとは、図３に示すように、後身頃３の股上長Ｌ３を２等分する直線Ｌ３１より下方に位置する部分であり、後身頃上半部３Ｕとは、同直線Ｌ３１より上方に位置する部分である。
【００３４】
背側伸長抑制部３１，３２は、後身頃上半部３Ｕ側の端部３１ａ，３２ａが、ウエスト開口部５に達していても良いが、図３に示すように、パッドホルダー１を、前身頃２と後身頃３の肌対向面同士を面接させて平面状の自然状態としたときにホルダーの側部に生じる折曲線１ａ，１ａに達していることが好ましい。前記端部３１ａ，３２ａは、それぞれ折曲線１ａ，１ａに達していなくても良いが、その場合、折曲線１ａ，１ａまでの最短距離が３０ｍｍ以下、特に１０ｍｍ以下であることが好ましい。
また、背側伸長抑制部３１，３２は、後身頃下半部３Ｄ側の端部３１ｂ，３２ｂが、図３に示すように、一対のレッグ開口部６，６間の領域４１まで入り込んでいることが好ましく、前身頃２と後身頃３の肌対向面同士を面接させて平面状の自然状態としたときに股下部４に生じる折曲線１ｂに達していることがより好ましい。前記端部３１ｂ，３２ｂは、それぞれ折曲線１ｂに達していなくても良いが、その場合、折曲線１ｂまでの最短距離が３０ｍｍ以下、特に１０ｍｍ以下であることが好ましい。
本実施形態のパッドホルダー１において、前身頃２の伸長抑制部２１，２２と後身頃３の背側伸長抑制部３１，３２とは、着用者の側部に配される部位で連接しており、パッドホルダー１ないし吸収性パッド７のずれ落ちが一層抑制される。前身頃２の伸長抑制部２１，２２と背側伸長抑制部３１，３２とは、着用者の股間に配される部位でも実質的に連接され、全体として環状に連続している。
【００３５】
本実施形態のパッドホルダー１は、前身頃２の脚部領域（前記大腿部を被覆する部分）Ａに、第一大腿伸長応力部２０とこれよりも伸長応力が高い第二大腿伸長応力部２３〜２５とを上述した態様で有しているため、脚部領域（前記大腿部を被覆する部分）Ａが、柔軟であると共に大腿部の動きに対する追従性に優れている。
即ち、大腿部全体は十分な伸縮性を有して柔らかく包みながら、部分的にはやや締めることで、大腿部の大きな動きに追従することができ、更にはパッドのホールド性も高めることができる。
これにより、本実施形態のパッドホルダー１は、装着性及び装着感に優れ、且つパッドのズレも防止することができる。
【００３６】
特に、前身頃２に伸長抑制部２１，２２を有しており、該伸長抑制部２１，２２を境界として、それより内側の本体部分Ｂと、該伸長抑制部２１，２２より外側の脚部領域Ａ，Ａとに区分されており、脚部領域Ａ，Ａが大腿部の動きに追従して変形する一方、その変形の影響が本体部分Ｂに伝わりにくいため、吸収性パッドが横方向にずれることが防止される。
【００３７】
また、伸長抑制部２１，２２を有するため、吸液による吸収性パッド７の重量増加等により、パッドホルダー１の着用時に、パッドホルダー１を下方に引き下げる力が働いても、伸長が抑制された伸長抑制部２１，２２が、伸縮性シートからなる高伸長性部分の伸長に抗して、股下部４の下方への移動を抑制するため、吸収性パッド７やパッドホルダー１の下方へのずり落ちを効果的に防止することができる。吸収性パッド７の吸収容量が大きい場合、例えば、吸収容量（生理食塩水で測定）が２５０ｍＬ以上、あるいは３００ｍＬ以上の場合には、吸収性パッド７による引き下げ力が大きくなるが、そのような場合であっても、伸長抑制部２１，２２の作用により、吸収性パッド７を着用者の股間にフィットした状態に保持（ホールド）することができる。特に、伸長抑制部２１，２２の一部が着用時に着用者の上前腸骨棘８１及び／又は腸骨稜８の少なくとも一部の上方に位置していると、上前腸骨棘８１及び／又は腸骨稜８に引っ掛かるため、吸収性パッド７やパッドホルダー１の下方へのずり落ちを一層効果的に防止することができる。
【００３８】
吸収性パッド７やパッドホルダー１の下方へのずり落ちを効果的に防止するとともに、パッドホルダー１が呼吸等による腹囲変化に柔軟に対応するために、伸長抑制部２１，２２は、少なくとも前身頃上半部２Ｕにおいて互いに交差しないことが好ましい。
【００３９】
また、伸長抑制部２１，２２が前身頃下半部の幅方向中央部側から前身頃上半部の側部に亘って延びていることにより、前身頃及び／又は後身頃の広い範囲に高い伸長性を付与した場合であっても、ホルダーを引き上げて装着する際に、ホルダーの股下部付近が大腿部に引っ掛かり十分引き上げられないという不具合が生じにくく、手直しすることなくホルダー全体を適正位置にまで容易に引き上げることができる。
【００４０】
本発明において、第二大腿伸長応力部は、前身頃２の左右両側にそれぞれ１本のみ設けても良いが、本実施形態のように、パッドホルダーの縦方向に間隔を設けて複数本形成されていると、大腿部全体を柔軟に包みながら動きにも追従することができ、装着性と装着感の両立が可能となる。
【００４１】
本実施形態のパッドホルダー１においては、図４に示すように、２本の第二大腿伸長応力部２４，２５を、着用者の大転子８２の上下に配置可能になされている。そのため、動きの起点となる大転子付近の動きを妨げることなく、大腿部全体を包むことができるので、動きやすく、装着感に優れながらも動きに追従することができる。
なお、大転子（だいてんし）は、解剖学の用語であり、大腿骨頚と大腿骨体との結合部の上外側にある大きな隆起（図５に符号８２で示す部分）である。
【００４２】
第二大腿伸長応力部２３〜２５は、前身頃２側の端部２３ａ，２４ａ，２５ａが、伸長抑制部２１，２２に達していることが好ましい。また、第二大腿伸長応力部２３〜２５は、折曲線１ａの位置を超えて後身頃側に延出していることが好ましく、第二大腿伸長応力部２３〜２５の後身頃３側の端部２３ｂ，２４ｂ，２５ｂが、背側伸長抑制部３１，３２に達していることがより好ましい。後身頃３の左右両側それぞれにおける、伸長抑制部２１又は２２と折曲線１ａとに挟まれた領域（以下、脚部領域ともいう）が、着用者の大腿部を被覆する部分Ａ，Ａであり、該脚部領域Ａ，Ａに、前述した第一大腿伸長応力部２０及び第二大腿伸長応力部２３〜２５を有している。
第二大腿伸長応力部２３〜２５が、伸長抑制部２１，２２及び／又は背側伸長抑制部３１，３２に達しており、特に伸長抑制部２１，２２から背側伸長抑制部３１，３２に亘るように形成されていると、第二大腿伸長応力部が大腿部全体に効果的に働くため、全体をより柔らかく包むことができ、パッドのホールド性を維持したまま、装着性や装着感を更に高めることができる。
本実施形態のパッドホルダー１における第二大腿伸長応力部２３〜２５は、何れも、伸長抑制部２１，２２及び背側伸長抑制部３１，３２のそれぞれとＴ字状に連結している。
【００４３】
第二大腿伸長応力部２３〜２５は、少なくとも１本以上、好ましくは複数本、より好ましくは全部が、伸長抑制部２１，２２及び／又は背側伸長抑制部３１，３２に達していることが好ましい。
【００４４】
また、本実施形態のパッドホルダー１は、前身頃２の左右の伸長抑制部２１，２２間も伸縮性の前側中間伸縮部を有しており、図１に示すように、股下部４における左右の伸長抑制部２１，２２間に、パッドホルダーの横方向に延びる、中間伸縮部より伸長応力が高い前側股下伸長応力部２６が形成されている。また、後身頃３の左右の背側伸長抑制部３１，３２間も伸縮性の後側中間伸縮部を有しており、図３に示すように、股下部４における左右の伸長抑制部２１，２２間に、パッドホルダーの横方向に延びる、後側伸縮抑制部より伸長応力が高い後側股下伸長応力部３３が形成されている。
【００４５】
前側股下伸長応力部２６、特に前側及び後側股下伸長応力部２６、３３を共に有することにより、パッドをより確実に身体に密着させることができ、パッドからのモレを一層確実に防止することができる。
【００４６】
前側股下伸長応力部２６は、パッドホルダーの横方向（Ｘ方向）において、伸長抑制部２１，２２と前身頃の端部との間の中央部２６’に達しないように形成されていることが好ましく、図１に示すように、伸長抑制部２１，２２それぞれの位置より外方に延出していないことがより好ましい。
後側股下伸長応力部３３も、パッドホルダーの横方向（Ｘ方向）において、背側伸長抑制部３１，３２と後身頃の端部（折曲線１ａの位置に同じ）との間の中央部に達しないように形成されていることが好ましく、図３に示すように、背側伸長抑制部３１，３２それぞれの位置より外方に延出していないことがより好ましい。
【００４７】
伸長抑制部２１，２２は、股下（股下縁部近傍）より上方において、常に着用者のそけい部よりも上方に位置することが、パッド保持性および着用感の観点から好ましい。この場合、伸長抑制部２１，２２がそけい部と交差しないので、歩行等の脚部の動きがそけい部を通じて伸長抑制部２１，２２に伝達され難く、ひいては伸長抑制部を通じて本体部分Ｂに伝達されにくくなるので、吸収パッドの位置ズレを一層効果的に抑制することができ、また、そけい部および伸長抑制部２１，２２の当接部位に違和感を生じさせることを有効に抑制することができる。
【００４８】
なお、本実施形態のパッドホルダー１においては、図２に示すように、パッドホルダー１の着用時に、一対のレッグ開口部６，６の開口周縁部は、股下部４より下方に位置している。一対のレッグ開口部６，６の開口周縁部は、着用者のそけい部に沿うライン（図示せず）よりも下方に位置することが、吸収性パッドの保持性及びホルダーから外部への露出防止の点から好ましい。
【００４９】
本実施形態のパッドホルダー１における第１伸長抑制部２１，２２は、それぞれ、前身頃下半部２Ｄから前身頃上半部２Ｕの側部にかけての領域における接線Ｌ（一方のみ図示）と、パッドホルダーの幅方向に延びる直線（例えば前記直線Ｌ２１）とのなす角度α（図１参照）が、前身頃上半部２Ｕの前記側部に近づくに従って漸次減少するように円弧状に形成されている。斯かる構成により、伸長抑制部２１，２２のライン上の一点に集中的に加重や歪みが加わることが防止されるため、伸長抑制部２１，２２が着用者の体型に隙間なくフィットし、且つ上前腸骨棘８１，８１及び／又は腸骨稜８，８に引っ掛かり易くなる。そのため、装着感やずれ落ち防止性に一層優れている。
【００５０】
本実施形態のパッドホルダー１を形成する伸縮性部材としては、編地、伸縮性不織布等（これらを、伸縮性シートとも言う）を用いることができるが、編地が好ましく、編み方で伸縮性を発現させた編地、もしくは糸自体が伸縮性を有すると共に、伸縮性が発現し易い編み方で形成された編地を用いることができる。
本実施形態のパッドホルダー１は、丸編機等により製造された伸縮性に富む円筒状の編地から形成されており、ウエスト開口部及び一対のレッグ開口部の開口周縁部においては、円筒状の編地の端部から所定幅の部分を折り返して縫合することでウエスト開口弾性部５１及びレッグ開口弾性部６１を形成してある。
【００５１】
伸長抑制部２１，２２及び背側伸長抑制部３１，３２は、それらの部分の編地の網目を他の部分より密にすることで最大伸長率を低下させてある。伸長抑制部２１，２２及び背側伸長抑制部３１，３２の他の形成方法としては、例えば、伸縮性に富むシートに、伸長性に劣る帯状のシートを縫合や融着等により接合する方法が挙げられる。
第二大腿伸長応力部２３〜２５は、それらの部分の編地の横方向の網目を他の部分より密にすることで伸長応力を高くしてある。第二大腿伸長応力部２３〜２５の他の形成方法としては、例えば、伸長応力が低いシートに、伸長応力の高い弾性体からなる帯状のシートを取り付ける方法が挙げられる。
【００５２】
以上、本発明をその好ましい実施形態に基づき説明したが、本発明は実施形態に制限されない。
例えば、伸長抑制部２１，２２は、全長に亘って円弧状のものに代えて、直線部と円弧状部とを有するものや、角度をなして連接された２本又は３本以上の直線部からなるもの等を設けることもできる。背側伸長抑制部３１，３２も、伸長抑制部２１，２２と同様の形状に形成することもできる。
また、伸長抑制部２１，２２、背側伸長抑制部３１，３２、股下伸長応力部２６，３３は、一部又は全部を省略することもできる。
【００５３】
また、上述したパッドホルダー１においては、第二大腿伸長応力部２３〜２５が、左右両側に３本ずつであったが、それぞれ１本、２本、又は４本以上（例えば４本〜８本）であっても良い。また、１本又は複数本の第二大腿伸長応力部２３〜２５を、伸長抑制部２１，２２間（本体部分Ｂ）に延出させることもできる。
【符号の説明】
【００５４】
１  パッドホルダー
２  前身頃
２０  第一大腿伸長応力部
２１，２２  伸長抑制部
２３〜２５  第二大腿伸長応力部
２６  前側股下伸長応力部
２Ｕ  前身頃上半部
２Ｄ  前身頃下半部
Ｌ２  前身頃の股上長
３  後身頃
３１，３２  背側伸長抑制部
３３  後側股下伸長応力部
３Ｕ  後身頃上半部
３Ｄ  前身頃下半部
Ｌ３  後身頃の股上長
４  股下部
５  ウエスト開口部
６  レッグ開口部
７  吸収性パッド
８  腸骨稜
８１  上前腸骨棘
８２  大転子
【図１】
0005390341.tif 000002
【図２】
0005390341.tif 000003
【図３】
0005390341.tif 000004
【図４】
0005390341.tif 000005
【図５】
0005390341.tif 000006